(57)【要約】  照明システム（１）は複数の光源（１１、１２、１３）を含み、各光源にはドライバ（２１、２２、２３）、ドライバを制御用の制御信号（ＳC1、ＳC2、ＳC3）を生成するコントローラ（３０）、温度フィードフォワード（ＴＦＦ）補正メカニズムを構成する温度フィードフォワード手段（６０、６１、６２、６３、８１）、フラックスフィードバック（ＦＦＢ）補正メカニズムを構成するフラックスフィードバック手段（７１、８２、８３、８４）が組合されている。コントローラは、温度フィードフォワード補正メカニズム及びフラックスフィードバック補正メカニズムが活動する第１動作モード，温度フィードフォワード補正メカニズムが活動し、フラックスフィードバック補正メカニズムが不活動の第２動作モードで動作可能である。コントローラは、制御信号のデューティサイクルを監視し、デューティサイクルに基づき動作モードを選択する。【選択図】図１
2009541925.tif 000002
【特許請求の範囲】
【請求項１】
照明システムであって、
関連するドライバにそれぞれ組合され、互いに異なるカラーの光を発生する複数の光源と、
上記各ドライバを制御するための制御信号を生成するコントローラと、
温度フィードフォワード（ＴＦＦ）補正メカニズムを構成するための温度フィードフォワード手段と、
フラックスフィードバック（ＦＦＢ）補正メカニズムを構成するためのフラックスフィードバック手段と、を含み、
上記コントローラは、上記温度フィードフォワード（ＴＦＦ）補正メカニズム及び上記フラックスフィードバック（ＦＦＢ）補正メカニズムの両者が活動する第１動作モードで動作することが可能であり、
上記コントローラは、上記温度フィードフォワード（ＴＦＦ）補正メカニズムが活動し、上記フラックスフィードバック（ＦＦＢ）補正メカニズムが不活動になる第２動作モードで動作することが可能であり、
上記コントローラは、上記制御信号のデューティサイクルを監視し、上記デューティサイクルに基づいて上記第１動作モードまたは上記第２動作モードを選択するように設計されている、ことを特徴とする照明システム。
【請求項２】
上記コントローラは、上記第１動作モードで動作している時に、少なくとも１つのデューティサイクルが所定値より小さいことを見出すと上記第２動作モードへ切り替わるように構成されており、
上記コントローラは、上記第２動作モードで動作している時に、全てのデューティサイクルが所定値より高いことを見出すと上記第１動作モードへ切り替わるように構成されている、ことを特徴とする請求項１に記載のシステム。
【請求項３】
上記フラックスフィードバック手段は、目標フラックス信号と測定されたフラックス信号との相互比較に基づいてフラックス誤差信号を計算するための計算手段を含み、上記フラックスフィードバック手段は、上記フラックス誤差信号から導出された補正信号を受け取り且つ中間制御信号値から補正された制御信号を計算する補償手段を含み、
上記システムは、フラックス補正メモリを更に含み、
上記コントローラは、上記第１動作モードで動作している時に、少なくとも１つのデューティサイクルが所定値より小さいことを見出すと上記補正信号の現在値を上記メモリ内に格納するように構成されており、
上記コントローラは、上記第２動作モードで動作している時に、上記記憶された補正信号を上記メモリから読み出し、上記中間制御信号値から上記補正された制御信号を計算するように構成されている、ことを特徴とする請求項２に記載のシステム。
【請求項４】
上記計算手段は、第１入力で上記目標フラックス信号を受け、第２入力で上記測定されたフラックス信号を受ける減算器からなる、ことを特徴とする請求項３に記載のシステム。
【請求項５】
上記補償手段は、第１入力で上記補正信号を受け、第２入力で中間制御信号値を受ける乗算器からなる、ことを特徴とする請求項３に記載のシステム。
【請求項６】
上記光源の温度を表す温度信号を生成するための温度検知手段を更に含み、上記中間制御信号値は、ユーザ入力値から、上記ユーザ入力値と、上記温度信号に基づく第１補正信号と、を乗算することによって計算される、ことを特徴とする請求項３に記載のシステム。
【発明の詳細な説明】
【技術分野】
【０００１】
本発明は、一般的にはカラー照明の分野に関する。特定的には、本発明はカラー及びルミナンスレベルを制御することができる複数の光源を含む照明デバイスに関する。以下の説明では各光源をＬＥＤとして説明するが、本発明は、例えばＴＬランプ、ハロゲンランプ等のような他の型の光源を用いて実施することもできる。
【背景技術】
【０００２】
一般的に言えば、光の強さ（減光）が可変であり、カラーが可変である光を発生することができる照明デバイスに対する要望が存在している。当業者には明白なように、従って、詳細な説明は不要なように、互いに異なるカラーの光を発生する３つのＬＥＤを含むシステムを用いれば、色域の大部分内の全ての可能なカラーの光を発生することができる。典型的な例では、１つのＬＥＤが「赤」光を発生し、第２ＬＥＤが「緑」光を発生し、そして第３ＬＥＤが「青」光を発生する。これら３つのＬＥＤの組合された光出力は、これら３つのＬＥＤのカラーによって規定されるカラー三角形内の混合されたカラーを有し、このカラー三角形内の正確なカラーポイントは３つのＬＥＤからの光の強さの相互比に依存する。従って、３つのＬＥＤの１つの相対的な強さを変化させることによってシステムのカラーポイントを変化させることができ、一方カラーポイントを維持しながら光出力の強さを変化させるには全てのＬＥＤの強さを同じ程度だけ変化させることによって行うことができる。
【０００３】
互いに異なるカラーを有する３つより多くのＬＥＤを使用することが可能であり、当業者には明らかなように、このような場合にも適当に順応させることによって本発明を適用できることを理解されたい。
【０００４】
それぞれのＬＥＤの光の強さを制御するために、システムは典型的にはマイクロコントローラで実現されるコントローラを含んでいる。マイクロコントローラは、例えば中央マイクロコントローラまたはＰＣから設定信号を受信するための入力を有している。マイクロコントローラは更に、各ＬＥＤの動作を制御するために、各ＬＥＤに１つずつ、計３つの制御出力を有している。典型的には、ＬＥＤは、それぞれの光の強さを変化させるために可変デューティサイクルで動作する。マイクロコントローラから各ＬＥＤへの制御出力信号は、受信した入力設定信号、及び入力設定信号と各ＬＥＤの設定点との間の一対一の関係を限定するメモリ内に格納された式またはテーブルに基づいて生成される。
【０００５】
これについての問題は、たとえ一定の制御信号によって制御されていても、例えば変化する温度の影響を受けて、または例えばエージングの結果として、ＬＥＤの光の強さ及びカラー（波長）が変化し得ることである。この問題のさらなる面は、個々のＬＥＤが必ずしも同一の影響を受けるのではなく、変動に差があることである。その結果、システムのカラーポイントは温度及び時間と共に変化し得る。このようなカラーポイント変動を防ぐために、コントローラにはある補償メカニズムを設けるべきである。
【０００６】
コントローラのためのこのような補償メカニズム自体は公知である。第１補償メカニズムは、“温度フィードフォワード”（略してＴＦＦ）と呼ばれるものである。このシステムには、ＬＥＤの温度、特に個々のＬＥＤの接合温度を検出する温度検出手段が設けられる。上記メモリは、測定された温度に基づいて上記一対一の関係を補正するための式またはテーブルを含んでいる。可能な実施の形態では、上記メモリは温度の関数としてのＬＥＤ制御テーブルのマトリックスを含み、コントローラは現在の温度に対応する“正しい”テーブルを使用する。上記メモリが温度の関数としての補正ファクタのマトリックスを含み、コントローラがユーザの設定に基づいてテーブルから制御信号を読み出して現在の温度に基づいて補正ファクタを適用することも可能である。この補償メカニズムの長所は比較的高速なことであるが、欠陥は、それが所定のデータに頼り、所定のデータからの生じ得る「ずれ」を考慮しないことである。さらなる欠陥は、この補償メカニズムがエージングによってもたらされる変動を補償できないことである。
【０００７】
第２補償メカニズムは、光出力のフィードバック（“フラックスフィードバック”、略してＦＦＢ）に基づくものである。このシステムには、個々のＬＥＤの実際の光出力（フラックス）を検知するための光センサが設けられ、コントローラはＬＥＤの実際の光出力が企図した光出力に等しくなるようにその駆動信号を調整する。この補償メカニズムの長所は、予め決定された温度レスポンスに関するデータを有している必要がなく、実際の光出力状況を常に斟酌していることである。しかしながら、この補償メカニズムの欠陥はＬＥＤ毎に１つの、計３つの光センサを必要とし、従ってそれがハードウェアコストに加わることである。このハードウェア問題を解消するために、この補償メカニズムの変形が知られている。この変形では、システムは、ＬＥＤの混合された光出力の総合光を検知するための１つの共通光センサだけを含んでいる。このメカニズムは更に、測定信号が得られるようにするために、個々のＬＥＤに特定のタイミングを必要とする（例えば、１つのＬＥＤだけがオンであり、他の全てのＬＥＤがオフであるような時間間隔を設けることによって、その測定信号から個々の光出力を導出することができる）。この場合の欠陥は、フラックス測定に最小量の時間を必要とすることである。これは、ＬＥＤのために設定することができるデューティサイクルの下限に制約を課し、従って設定することができるカラーポイントの限界、及び減光範囲の限界に制約を課すことになる。
【発明の開示】
【発明が解決しようとする課題】
【０００８】
欧州特許第1,346,609号は、コントローラが、直列に動作するＴＦＦ部分及びＦＦＢ部分を含み、ＴＦＦ部分及びＦＦＢ部分が同時に活動化されるシステムを開示している。このシステムでは、ＴＦＦ部分がＦＦＢ部分の欠陥の若干を補償することはできるが、ＬＥＤのために設定することができるデューティサイクルの下限に課される制約が、ＦＦＢ部分によってもたらされる問題を残している。
【０００９】
【特許文献１】欧州特許第1,346,609号明細書
【００１０】
本発明の重要な目的は、上述した欠陥を解消することである。
【課題を解決するための手段】
【００１１】
本発明の重要な面によれば、コントローラは２つの動作モードで動作することができる。第１動作モードでは、制御はＴＦＦ及びＦＦＢの両方に基づいて遂行される。第２動作モードでは、制御はＴＦＦだけに基づいて遂行され、ＦＦＢ機能は無視される。第１動作モードと第２動作モードとのスイッチングはデューティサイクルに基づいて行われる。即ち、もしコントローラが、複数のＬＥＤの複数のデューティサイクルの少なくとも１つのデューティサイクルのオン間隔の持続時間が、フラックス測定を遂行するのに要する最小時間よりも短いことを見出せば、コントローラは第２動作モードを選択し、そうでない（正常状況の）場合にはコントローラは第１動作モードを選択する。
【００１２】
本発明のこれらの、及び他の面、特色、及び長所は、添付図面に基づく以下の説明から更に明白になるであろう。なお、添付図面においては、同一の、または類似の部品に対しては同一の参照番号を使用している。
【発明を実施するための最良の形態】
【００１３】
図１にブロックダイアグラムで示す照明システム１は、互いに異なるカラーの光を発生するための３つの光源１１、１２、１３の配列を含んでいる。典型的には、これらのカラーは赤（Ｒ）、緑（Ｇ）、及び青（Ｂ）であるが、他のカラーも可能である。個々の光出力Ｒ、Ｇ、及びＢの組合せ（混合）であるシステム１の全体としての光出力は、Ｌで示されている。この光混合は、当業者には明白なように、個々のカラーＲ、Ｇ、及びＢによって限定されるカラー三角形内にカラーポイントを有している。光源は、ＬＥＤで実現すると有利であるが、例えばＴＬランプ、ハロゲンランプ等のような他の型の光源であることもできる。実際には光源が、実質的に同一カラーの２つまたはそれ以上のＬＥＤを、並列または直列に配列したものを含むことができるが、以下の説明では各光源が単一のＬＥＤを含むものとすることを理解されたい。
【００１４】
システム１は更に、各ＬＥＤに組合されていて、典型的には直流信号である適切なＬＥＤ駆動信号ＳD1、ＳD2、ＳD3でＬＥＤを駆動するドライバ２１、２２、２３を含んでいる。ＬＥＤドライバ自体は公知であり、ドライバの設計は本発明の主題ではないので、ドライバの設計及び動作の詳細な説明は無用であろう。ここではドライバが、各制御入力から受信する制御信号ＳC1、ＳC2、ＳC3に応答してＬＥＤを繰り返しオン及びオフにスイッチさせると言うに留める。ＬＥＤがオンである時間間隔は、持続時間ｔONを有するオン間隔で表される。ＬＥＤがオフである時間間隔は、持続時間ｔOFFを有するオフ間隔で表される。スイッチングの合計時間ｔPERIODはｔON＋ｔOFFに等しい。デューティサイクルΔは、Δ＝ｔON／ｔPERIODとして定義される。３つのＬＥＤは互いに異なるスイッチング期間を有することができるが、通常はこれらのスイッチング期間は全てのＬＥＤについて等しい。各ＬＥＤは公称電流値で動作するように設計されている。ＬＥＤドライバは、典型的にはオン間隔中の電流値が公称電流値に等しくなるように設計されている。各ＬＥＤは、ＬＥＤがデューティサイクルΔ＝100％で、且つ公称電流値で動作している時に達成される公称光出力を有している。当業者には明らかなように、ＬＥＤのデューティサイクルを変化させるとＬＥＤの光出力が対応して変動し、３つのＬＥＤの光出力を変化させると出力混合光Ｌのカラー及び／または出力混合光Ｌの明るさに変化がもたらされる。
【００１５】
システム１は更に、各ドライバ２１、２２、２３の制御入力に結合される３つの出力３１、３２、３３を有するコントローラ３０を含んでいる。コントローラ３０は、各ＬＥＤ １１、１２、１３のためにあるデューティサイクルを設定するようにドライバに命令する制御信号ＳC1、ＳC2、ＳC3を、それぞれのドライバ２１、２２、２３のために発生するように設計されている。典型的には、制御信号ＳC1、ＳC2、ＳC3は、オン間隔中は値１を有し、オフ間隔中は値０を有するデジタル信号である。制御信号はデューティサイクルΔを決定するだけではなく、オン及びオフ間隔の精密なタイミングをも決定する。
【００１６】
コントローラ３０は、ユーザ入力デバイス４０からユーザ入力信号ＳUを受信するためのユーザ制御入力３４を有している。このユーザ入力デバイス４０は、例えばキーボード、またはユーザがあるカラーポイント及び強さを選択して入力することができる他の何等かの適当な型のデバイスであることができる。コントローラ３０は、ユーザ入力信号ＳUに基づいて出力３１、３２、３３に制御信号ＳC1、ＳC2、ＳC3を発生する。コントローラ３０は、コントローラ３０のメモリ入力３５に結合されている組合されたメモリ５０（代替として、メモリはコントローラ自体の一部であることができる）内に格納されている情報に基づいて、どのような制御信号ＳC1、ＳC2、ＳC3を発生するのかを決定する。メモリは、一方の制御信号（または、デューティサイクル）と、そして他方のカラーポイント及び明るさとの間の関係を決定する情報を含んでいる。この情報は、ルックアップテーブル、式等の形状で利用することができる。
【００１７】
１つの問題は、ＬＥＤの光出力がデューティサイクルだけに依存しないことである。すなわち、温度及びエージングのような要因により、「ずれ」が、カラーに、フラックスに、または両方に出現し得る。これらの「ずれ」を補償するために、システム１には２つの補正メカニズムが設けられている。第１補正メカニズムＴＦＦは、ＬＥＤの接合温度の測定に基づく。システムは１つの共通温度センサだけを含むことができるが、図１では各ＬＥＤ １１、１２、１３にそれぞれ温度センサ６１、６２、６３が設けられていて、温度測定信号ＳT1、ＳT2、ＳT3をそれぞれ発生するようになっている。ＬＥＤの接合温度を測定する方法自体は公知であり、本発明に適用することができるが、本発明は温度測定方法の改良には無関係であるので温度センサの設計及び動作の詳細を説明する必要はないであろう。
【００１８】
温度の影響は、例えば経験から予め知られている。コントローラ３０には、温度補正入力３６に結合されている温度補正メモリ６０が設けられている。このメモリ６０は、例えば、温度の関数として制御信号ＳC1、ＳC2、ＳC3をどのように補正するかをコントローラ３０に通報するマトリックス、ルックアップテーブル、式、その他の形状で情報を含んでいる。温度補正メモリ６０とメモリ５０とを組合せることが可能であることを理解されたい。
【００１９】
第２補正メカニズムＦＦＢは、個々のＬＥＤの実際の光の強さ（フラックス）の測定に基づいている。システムは個々のフラックス検出器を含むことはできるが、図１のシステムは混合光Ｌの強さを検出する１つの共通フラックス検出器７１を含んでいる。光フラックスを測定する検出器自体は公知であり、本発明に適用することができるが、本発明は光検出器には無関係であるので光検出器の設計及び動作を説明する必要はないであろう。
【００２０】
図２は、１つの共通フラックス検出器７１を使用して個々のＬＥＤの光の強さを測定することを可能にするタイミング図である。第１期間Ａ中には、第１のＬＥＤ １１のオン間隔のタイミングが第２及び第３のＬＥＤのタイミングに対して進んでおり、このタイミングを決定するコントローラは、ｔ11からｔ12までの測定間隔中のフラックス検出器７１からの出力信号が第１のＬＥＤ １１だけの光強度を表していることを知っている。第２期間Ｂ中は、第２のＬＥＤ １２のオン間隔のタイミングが第１及び第３のＬＥＤのタイミングに対して進んでおり、従ってｔ21からｔ22までの測定間隔中のフラックス検出器７１からの出力信号は第２のＬＥＤ １２だけの光の強さを表している。第３期間Ｃ中は、第３のＬＥＤ １３のオン間隔のタイミングが第１及び第２のＬＥＤのタイミングに対して進んでおり、ｔ31からｔ32までの測定間隔中、コントローラは第３のＬＥＤ １３だけの光の強さを測定することができる。図１には、個々のＬＥＤの個々のフラックスを表すフラックス測定信号が、それぞれＳF1、ＳF2、ＳF3として示されている。
【００２１】
コントローラ３０は、フラックス測定入力３７でフラックス測定信号ＳF1、ＳF2、ＳF3を受ける。コントローラ３０は、ユーザ入力信号ＳU、メモリ５０からの情報、及び温度補正メモリ６０からの情報に基づいてＬＥＤ毎にフラックスがどのようであるべきかを知っている。これは、“目標フラックス”として表される。もし実際のフラックスが目標フラックスからずれれば、コントローラ３０はこのずれを減少させるようにその制御信号を補正する。
【００２２】
この動作モードを図３に詳細に示す。ユーザ入力信号ＳUに基づいて、第１制御信号のための第１近似値Ｓ1がメモリ５０から取り出される。温度測定に基づいて、第１補正値α1が温度補正メモリ６０から取り出される。乗算器８１に示すように、第１近似値Ｓ1と第１補正値α1とを乗算することによって第１制御信号のための第２近似値Ｓ1’が計算される。第１補正値α1は、温度に基づいて予測されるＬＥＤのカラー及びフラックスのずれを補償する。
【００２３】
更に、フラックス計算器８２が、第２近似値Ｓ1’から第１のＬＥＤ １１のフラックスのための目標値ＳTF1を導出する。
【００２４】
減算器８３において、第１フラックス測定信号ＳF1が第１目標値ＳTF1から減算され、第１フラックス誤差信号ＳFE1が求められる。第１フラックス誤差信号ＳFE1には適当な利得を乗ずることができるが図示してない。ＰＩＤブロック８７において、第１フラックス誤差信号ＳFE1が第２補正値β1に変換される。第２乗算器８４において、第２近似値Ｓ1’と第２補正値β1とが乗算されて第１制御信号ＳC1＝Ｓ1・α1・β1が求められる。
【００２５】
図３が、第１制御信号ＳC1のための動作だけを示していることを理解されたい。当業者には明白なように、第２及び第３制御信号ＳC2及びＳC3のための動作も類似しており、従って、簡易化のために図示してない。
【００２６】
本発明の重要な面によれば、コントローラ３０は制御信号ＳC1、ＳC2、ＳC3のデューティサイクルを監視する。もし少なくとも１つのデューティサイクルが所定のレベルよりも低ければ、コントローラ３０は第２動作モードへスイッチする。例えば、実際の実施の形態では、制御信号の周期は８ｍｓの持続時間ｔPERIODを有しており、フラックス測定には360μｓを必要とする。従って、オン間隔の持続時間ｔONは少なくとも360μｓでなければならない、即ちデューティサイクルΔは少なくとも4.5％でなければならない。第２動作モードを図４に示す。また、図２には、周期の始まりｔ10から第１オン間隔の始まりｔ11までの“デッド”間隔が示されており、この間は全てのＬＥＤがオフであり、コントローラ３０はゼロ測定を遂行できる。
【００２７】
少なくとも１つのデューティサイクルが所要の最小レベルよりも低いことをコントローラ３０が見出すと、コントローラ３０は第２補正値β1、β2、β3の現在値をフラックス補正メモリ９０内に格納する。その後の動作中に、コントローラ３０は格納した補正値（今は、“記憶された”補正値β1M、β2M、β3Mとしてそれぞれ表される）をこのメモリ９０から取り出す。勿論、これらはある時間の間一定である。従って、補償メカニズムはＴＦＦだけに基づき、及びフラックスをベースとする補償動作はある時間の間一定であり、最も低いデューティサイクルが所定の最小値よりも低くなった瞬間における状況に“凍結”される。この第２動作モードにおいては、実際のフラックス測定は無視される。実際、この第２動作モードではフラックス測定は不要であるから、“デッド”間隔（ｔ10からｔ11まで）は最早不要である。ＬＥＤは、コントローラの分解能だけによって決定される低い値まで減光することができる。
【００２８】
実際のフラックス測定を無視することによって生ずる誤差は、比較的小さいと考え得ることを理解されたい。温度変化によってもたらされるフラックスの可能なずれは、実際に測定された温度に基づいて温度補正メモリ６０によって補償される。エージングによってもたらされるフラックスの可能なずれは減算器８３及び乗算器８４によって補償されるが、これらの効果は時間と共に急速に変化するものではないから、比較的短時間の間はこれらのずれは一定であると考えることができ、それらの所要の補償も一定であると考えることができるので、メモリ９０が十分な補償を提供する。
【００２９】
この第２動作モード中、コントローラ３０は制御信号ＳC1、ＳC2、ＳC3のデューティサイクルを監視し続ける。もし全てのデューティサイクルが所要の最小レベルより高くなれば、コントローラ３０は図３の第１動作モードにスイッチし、メモリ９０からではなく、減算器８３からフラックス誤差信号ＳFE1、ＳFE2、ＳFE3を入手する。
【００３０】
当業者には明白なように、本発明は上述した例示実施の形態に限定されるものではなく、特許請求の範囲の請求項に記載されている本発明の範囲内で幾つかの変形及び変更が可能である。
【００３１】
例えば、上例では第２補正値β1、β2、β3はメモリ９０内に格納され、メモリ９０から読み出されるが、第１モードから第２モードへスイッチングする時点でフラックス測定信号ＳF1、ＳF2、ＳF3の瞬間値をあるメモリ内に格納し、目標値ＳTF1、ＳTF2、ＳTF3とメモリ９０からのフラックス測定信号ＳF1、ＳF2、ＳF3の“凍結”値とを比較することも可能である。
【００３２】
更に、図４では、メモリ９０の出力は減算器８３の出力として同一乗算器８４に結合されている。しかしながら、異なる乗算器を使用することも可能である。
【００３３】
更に、以上の説明では温度に基づくカラーのずれ、及びフラックスのずれの補償が、共に温度補正メモリ６０に依っている。しかしながら、温度補正メモリ６０がカラーのずれだけを補償し、フラックス計算器８２はユーザ入力及び測定された温度に基づいてフラックスのための目標値を計算する（換言すれば、フラックス計算器８２は温度に基づいてフラックスのずれの補償を処理する）ことも可能である。第１動作モードのこのような可能性を図５Ａに示すので、図３と対照されたい。第２動作モードに対応するブロックダイアグラムを図５Ｂに示すので、図４と対照されたい。第２動作モードを選択する瞬間に、第２補正値β1、β2、β3がメモリ９０内に格納される。同様に、対応する目標フラックス信号ＳTF1、ＳTF2、ＳTF3がメモリ９０内に格納され、“記憶された”目標フラックス信号ＳTF1M、ＳTF2M、ＳTF3Mとして表される。動作中、フラックス計算器８２は、瞬時温度に基づいて目標フラックス値ＳTF1を計算する。この瞬時目標フラックス値ＳTF1は、“記憶された”目標フラックス信号ＳTF1Mで除されて（除算器８５）、第３補正値γ1が求まる。乗算器８４は第２近似値Ｓ1’に、この第３補正値γ1と、メモリ９０から読み出した“記憶された”第２補正値β1M、β2M、β3Mとを乗算する。従って、制御信号ＳC1は、“記憶された”フラックスデータに基づいて生成されるが、温度変化によって生ずるフラックスのずれを考慮している。
【００３４】
以上に、本発明によるデバイスの機能ブロックを示しているブロックダイアグラムに基づいて本発明を説明した。これらの機能ブロックの１つまたはそれ以上はハードウェアで実現することができ、このような機能ブロックの機能を個々のハードウェア構成要素によって遂行させることができるが、これらの機能ブロックの１つまたはそれ以上をソフトウェアで実現し、このような機能ブロックの機能をコンピュータプログラムの１つまたはそれ以上のプログラムライン、またはマイクロプロセッサ、マイクロコントローラ、デジタル信号プロセッサ等のようなプログラマブルデバイスによって遂行させることも可能であることを理解されたい。
【図面の簡単な説明】
【００３５】
【図１】本発明による照明システムの概要ブロックダイアグラムである。
【図２】それぞれのランプへの制御信号の可能なタイミングのモードを示すタイミングダイアグラムである。
【図３】照明システムの第１動作モードの概要を示すブロックダイアグラムである。
【図４】照明システムの第２動作モードの概要を示すブロックダイアグラムである。
【図５】Ａ及びＢは、それぞれ図３及び図４の動作の変形の概要を示すブロックダイアグラムである。
【符号の説明】
【００３６】
１  照明システム
１１−１３  光源（ＬＥＤ）
２１−２３  ドライバ
３０  コントローラ
３１−３３  出力
３４  ユーザ制御入力
３５  メモリ入力
３６  温度補正入力
３７  フラックス測定入力
４０  ユーザ入力デバイス
５０  メモリ
６０  温度補正メモリ
６１−６３  温度センサ
７１  フラックス検出器
８１  乗算器
８２  フラックス計算器
８３  減算器
８４  第２乗算器
８５  除算器
８７  ＰＩＤブロック
９０  フラックス補正メモリ
Ｌ  出力混合光
ＳC1−ＳC3  制御信号
ＳD1−ＳD3  駆動信号
ＳF1−ＳF3  フラックス測定信号
ＳT1−ＳT3  温度測定信号
ＳU  ユーザ入力信号
Ｓ1  第１近似値
Ｓ1’  第２近似値
α1  第１補正値
β1  第２補正値
γ1  第３補正値
ＳFE1  フラックス誤差信号
ＳTF1  目標フラックス信号
【図１】
2009541925.tif 000003
【図２】
2009541925.tif 000004
【図３】
2009541925.tif 000005
【図４】
2009541925.tif 000006
【図５Ａ】
2009541925.tif 000007
【図５Ｂ】
2009541925.tif 000008
【国際調査報告】
2009541925.tif 000009
2009541925.tif 000010
2009541925.tif 000011